【事件の表示】
　特許第３１９２６４１号「弾球遊技機」の請求項１ないし６に係る特許に対する特許異議の申立てについて、次のとおり決定する。
【結　論】
　訂正を認める。
　特許第３１９２６４１号の請求項１ないし６に係る特許を維持する。
【理　由】
１．手続きの経緯
　本件特許第３１９２６４１号発明は、平成１１年６月２５日に特許出願されたものであり、その特許権は平成１３年５月２５日に設定登録され、この特許に対し、異議申立人、村尾健司、川瀬節子、町田彬よりそれぞれ特許異議の申立てがなされ、当審において取消理由を通知したところ、平成１４年７月１６日に訂正請求がなされ、この訂正請求に対し異議申立人に審尋したところ、それぞれの異議申立人から回答書が提出された。
　
２．訂正請求について
２-1．訂正の内容
　特許権者が求めている訂正の内容は、次のとおりである（下線部分が訂正個所である）。
（１）訂正事項ａ
　特許請求の範囲の請求項１の第２行目，第６行目，第８行目，及び第９行目の「検出スイッチ(45)(46)」を、「
賞球
(46)及び貸し球検出スイッチ(45)
（２）訂正事項ｂ
　特許請求の範囲の請求項１の第６〜７行目の「前記遊技制御基板(32)と前記払い出し制御基板(49)とに別々に接続し」を、「
夫々
（３）訂正事項ｃ
　特許請求の範囲の請求項１の第１２行目の「検出スイッチ(45)(46)」を、「
賞球
(46)
（４）訂正事項ｄ
　特許請求の範囲の請求項４の第２行目の「検出スイッチ(45)(46)」を、「
賞球
(46)
（５）訂正事項ｅ
　明細書の段落０００８の第３行目，第７行目，第８行目，及び第１０行目の「検出スイッチ45，46」を、「
賞球
46及び貸し球検出スイッチ45
（６）訂正事項ｆ
　明細書の段落０００８の第７〜８行目の「前記遊技制御基板32と前記払い出し制御基板49とに別々に接続し」を、「
夫々
（７）訂正事項ｇ
　明細書の段落０００８の第１２行目の「検出スイッチ45，46」を、「
賞球
46
（９）訂正事項ｈ
　明細書の段落００６１の第３行目，第６〜７行目，及び第８行目の「検出スイッチ45,46」を、「
賞球
46及び貸し球検出スイッチ45
（１０）訂正事項ｉ
　明細書の段落００６１の第７〜８行目の「遊技制御基板32と払い出し制御基板49とに別々に接続しているので」を、「
夫々
（１１）訂正事項ｊ
　明細書の段落００６２の第１行目，及び第２行目の「検出スイッチ45，46」を、「
賞球
46及び貸し球検出スイッチ45
（１２）訂正事項ｋ
　明細書の段落００６５の第２行目の「検出スイッチ45，46」を、「
賞球
46
（１３）訂正事項１
　明細書の段落００６６の第２行目の「検出スイッチ45，46」を、「
賞球
46
２-2．訂正の目的の適否及び拡張・変更の存否
（１）訂正事項ａについて
　上記訂正事項ａは、特許明細書の特許請求の範囲の請求項１に記載された「検出スイッチ（４５）（４６）」を、「賞球検出スイッチ（４６）及び貸し球検出スイッチ（４５）」と、具体的に限定しようとするものであるから、特許請求の範囲の減縮を目的とするものである。
　そして、「前記賞球検出スイッチ(46)及び貸し球検出スイッチ(45)をリード線を介して夫々前記遊技制御基板(32)と前記払い出し制御基板(49)とに別々に接続し、」については、特許明細書に、
　「図８は本発明の第２の実施形態を例示し、払い出し手段35に、賞球検出用の賞球検出スイッチ46とは別に、貸し球検出用の貸し球検出スイッチ45を設けた場合である。
　【００５４】この場合にも、貸し球検出スイッチ45を遊技制御基板32及び払い出し制御基板49にリード線、コネクタ等を介して夫々接続して、払い出し手段35が貸し球を払い出したときに、その貸し球の検出情報を各制御基板32,49へと送信するようにしても良い。」（段落【００５３】〜【００５４】）と記載されている。
　さらに、「前記遊技制御基板(32)に、前記賞球検出スイッチ(46)及び貸し球検出スイッチ(45)からの検出情報に基づいて異常判定を行う第１異常判定手段(52)」については、特許明細書に、「第１の実施形態では、専ら賞球の払い出しに関連する制御、処理について説明したが、第２の実施形態に示すように構成すれば、払い出し手段35による貸し球の払い出しに関連する制御、処理においても、第１の実施形態と同様に実施することが可能である。」（段落【００５５】）と記載されており、第１の実施形態と同様に実施するには、貸球の払い出しの情報を遊技制御基板(32)に入力するように構成することは自明のことである。
　したがって、訂正事項ａは、願書に添付した明細書又は図面に記載した事項の範囲内において訂正するものであり、かつ、実質上特許請求の範囲を拡張し又は変更するものでもない。
（２）訂正事項ｂについて
　上記訂正事項ｂは、上記訂正事項ａにおいて「検出スイッチ(45)(46)」を「賞球検出スイッチ(46)及び貸し球検出スイッチ(45)」に訂正したことに伴い、それら「賞球検出スイッチ(46)及び貸し球検出スイッチ(45)」が夫々遊技制御基板(32)と払い出し制御基板(49)とに接続されていることを明確にするためのものであるから、明りょうでない記載の釈明を目的とするものであり、願書に添付した明細書又は図面に記載した事項の範囲内の訂正であり、実質上特許請求の範囲を拡張し又は変更するものでもない。
（３）訂正事項ｃ及びｄについて
　上記訂正事項ｃは、上記訂正事項ａにおいて「検出スイッチ(45)(46）」を「賞球検出スイッチ(46)及び貸し球検出スイッチ(45)」に訂正したことに伴い、特許明細書の特許請求の範囲の請求項１の第１２行目及び請求項４の第２行目の「検出スイッチ(45)(46)」が、「賞球検出スイッチ(46)」であることを明確にするためのものであるあるから、明りょうでない記載の釈明を目的とするものであり、願書に添付した明細書又は図面に記載した事項の範囲内の訂正であり、実質上特許請求の範囲を拡張し又は変更するものでもない。
（４）上記訂正事項ｅないしｋについて
　上記訂正事項ｅないしｋは、訂正後の請求項１の記載と整合するように、特許明細書の記載を訂正するものであるから、明りょうでない記載の釈明を目的とするものであって、願書に添付した明細書又は図面に記載した事項の範囲内の訂正であり、かつ、実質上特許請求の範囲を拡張し又は変更するものでもない。
２-3．むすび
　以上のとおりであるから、上記訂正は、特許法第１２０条の４第２項、同条第３項で準用する第１２６条第２ないし４項の規定に適合するので、当該訂正請求を認める。
　
３．特許異議の申立てについて
３-1．異議申立て理由の概要
（１）異議申立人、村尾健司は、下記の証拠方法を提示し、本件の請求項１ないし６に係る発明は、下記の甲第１ないし４号証に記載された発明に基いて当業者が容易に発明をすることができたものであるから、その特許は、特許法第２９条第２項の規定に違反してされたものであり、取り消されるべきである旨主張する。
　　　　　　　　　　　　　　記
　甲第１号証：特開平１０−１１８２８８号公報（以下、「刊行物１」とい　　　　　　　う。）
　甲第２号証：特許第２８２１４２５号公報（以下、「刊行物２」という。　　　　　　　）
　甲第３号証：特開平１０−２０１９３３号公報（以下、「刊行物３」とい　　　　　　　う。）
　甲第４号証：特開平１１−４４１号公報（以下、「刊行物４」という。）
（２）異議申立人、川瀬節子は、下記の証拠方法を提示し、甲第２ないし７号証に示される周知技術を考慮すると、本件の請求項１ないし６に係る発明は、その出願の日前の出願であって、その出願後に出願公開された特願平１０−２８０９４７号（以下、「先願出願１」という、甲第１号証。）の願書に最初に添付した明細書又は図面（以下、「先願出願１の明細書等」という。）に記載された発明と同一であると認められ、しかも、本件の請求項１ないし６に係る発明の発明者が前記先願出願１の明細書等に記載された発明の発明者と同一であるとも、この出願の時において、その出願人が前記先願出願１の出願人と同一であるとも認められないので、この特許は、特許法第２９条の２第１項の規定に違反して特許されたものである旨主張する。
　　　　　　　　　　　　　　記
　甲第１号証：特願平１０−２８０９４７号（特開２０００−１０７４３２号、以下、「先願出願１」という。）
　甲第２号証：特開平１０−３０９３６９号公報（以下、「刊行物５」とい　　　　　　　う。）
　甲第３号証：特開平７−３１７３５号公報（以下、「刊行物６」という。　　　　　　　）
　甲第４号証：特開平５−２０８０７０号公報（以下、「刊行物７」という　　　　　　　。）
　甲第５号証：特開平１１−４４１号公報（以下、「刊行物４」という。）
　甲第６号証：特開平９−２７１５６５号公報（以下、「刊行物８」という　　　　　　　。）
　甲第７号証：特開平６−２６９５４７号公報（以下、「刊行物９」という　　　　　　　。）
（３）異議申立人、町田彬は、下記の証拠方法を提示し、甲第２ないし７号証に示される周知技術を考慮すると、本件の請求項１ないし６に係る発明は、その出願の日前の出願であって、その出願後に出願公開された特願平１１−１３３６９７号（以下、「先願出願２」という、甲第１号証。）の願書に最初に添付した明細書又は図面（以下、「先願出願２の明細書等」という。）に記載された発明と同一であると認められ、しかも、本件の請求項１ないし６に係る発明の発明者が前記先願出願２の明細書等に記載された発明の発明者と同一であるとも、この出願の時において、その出願人が前記先願出願２の出願人と同一であるとも認められないので、この特許は、特許法第２９条の２第１項の規定に違反して特許されたものである旨主張する。
　　　　　　　　　　　　　　記
　甲第１号証：特願平１１−１３３６９７号（特開平２０００−３１７１０　　　　　　　４号、以下、「先願出願２」という。）
　甲第２号証：特開平７−３２３１１８号公報（以下、「刊行物１０」とい　　　　　　　う。）
　甲第３号証：特開平６−７９０３１号公報（以下、「刊行物１１」という　　　　　　　。）
　甲第４号証：特開平６−３０４２９９号公報（以下、「刊行物１２」とい　　　　　　　う。）
　甲第５号証：特開平１１−４４１号公報（以下、「刊行物４」という。）
　甲第６号証：特開平７−１１６３１０号公報（以下、「刊行物１３」とい　　　　　　　う。）
　甲第７号証：特開平５−３４５０６８号公報（以下、「刊行物１４」とい　　　　　　　う。）
　
３-2．本件発明
　上記「２．訂正請求について」に記載したとおり訂正請求が認められるから、本件の請求項１ないし６に係る発明は、訂正明細書の特許請求の範囲の請求項１ないし６に記載されたとおりの次の事項により特定されるものである。
　「【請求項１】　遊技球の払い出しを行う払い出し手段(35)と、該払い出し手段(35)により払い出された遊技球を検出する賞球検出スイッチ(46)及び貸し球検出スイッチ(45)と、遊技盤(７)側の遊技動作の制御を行う遊技制御機能を有する遊技制御基板(32)と、前記払い出し手段(35)が払い出し指令に基づいて遊技球を払い出すように該払い出し手段(35)を制御する払い出し制御機能を有する払い出し制御基板(49)とを備えた弾球遊技機において、前記賞球検出スイッチ(46)及び貸し球検出スイッチ(45)をリード線を介して夫々前記遊技制御基板(32)と前記払い出し制御基板(49)とに別々に接続し、前記遊技制御基板(32)に、前記賞球検出スイッチ(46)及び貸し球検出スイッチ(45)からの検出情報に基づいて異常判定を行う第１異常判定手段(52)を、前記払い出し制御基板(49)に、前記賞球検出スイッチ(46)及び貸し球検出スイッチ(45)からの検出情報に基づいて異常判定を行う第２異常判定手段(64)を夫々備え、前記第１異常判定手段(52)は、前記払い出し制御基板(49)に賞球情報を送出してから所定時間経過しても賞球検出スイッチ(46)からの検出情報がないときに払い出し異常と判定するようにしたことを特徴とする弾球遊技機。
　【請求項２】　前記第１異常判定手段(52)の異常判定に基づいて異常報知を行う第１異常報知手段(15)と、前記第２異常判定手段(64)の異常判定に基づいて異常報知を行う第２異常報知手段(66)とを夫々備えたことを特徴とする請求項１に記載の弾球遊技機。
　【請求項３】　前記遊技制御基板(32)は、前記遊技盤(７)の遊技領域(13)に配置された入賞手段(16)〜(21)への遊技球の入賞に基づいて前記払い出し制御基板(49)に賞球情報を送出し、前記払い出し制御基板(49)は、前記賞球情報に基づいて前記払い出し指令を出力するようにしたことを特徴とする請求項１又は２に記載の弾球遊技機。
　【請求項４】　前記第２異常判定手段(64)は、前記払い出し手段(35)に賞球情報を送出してから所定時間経過しても賞球検出スイッチ(46)からの検出情報がないときに払い出し異常と判定するようにしたことを特徴とする請求項１〜３の何れかに記載の弾球遊技機。
　【請求項５】　遊技機本体(１)の裏側に配置された基板ケース(47)内の払い出し制御基板(49)に、前記基板ケース(47)の外部から視認可能な前記第２異常報知手段(66)を備えたことを特徴とする請求項１〜４の何れかに記載の弾球遊技機。
　【請求項６】　前記第１異常報知手段(15)は、前記遊技盤(７)の遊技領域(13)に配置された液晶表示手段(15)により異常報知を行うようにしたことを特徴とする請求項１〜５の何れかに記載の弾球遊技機。」
　
３-3．特許法第２９条第２項違反について
３-3-1．刊行物に記載された発明
（１）刊行物１（特開平１０−１１８２８８号公報）には、次の記載が認められる。
（１-a）「機構板６０には、さらに、払出制御回路基板用の基板ボックス１４９と、遊技制御を行なうための遊技制御基板１９９を収納する遊技制御基板ボックス１９８とが設けられている。」（５頁左欄３９〜４２行）、
（１-b）「この玉払出装置９７によって払出される玉は、入賞に基づく景品玉だけではなく、貸し出すべき遊技玉も玉払出装置９７によって払出されるようになっている。」（７頁右欄４３〜４６行）、
（１-c）「左右の玉送り水平路１８４ａと１８４ｂからの景品玉の落下は、交互に行なわれるが、この交互の落下は、スクリュー１８８が半回転する毎に一方から１個の景品玉が落下するので、結局１個の景品玉が落下する毎に発光素子１８６からの光が受光素子１８７によって検出されることになる。」（８頁右欄４〜１０行）、
（１-d）「下部ベースユニット６３の下部１側には、入賞玉処理装置１１５および前記玉払出装置９７の動作を制御する景品玉払出制御基板１５２を収納する基板ボックス１４９を収納する収納部１４８が形成されている。」（９頁左欄３７〜４１行）、
（１-e）「図１４は、払出制御用マイクロコンピュータ２２０によって制御される各種制御機器を含む制御回路を示すブロック図である。・・・払出制御回路基板１５２には、さらにエラー表示器１５５が設けられており、このエラー表示器１５５が前記ＬＥＤ回路２２２に接続されている。そして、払出制御用マイクロコンピュータ２２０からのエラーコード表示制御信号がＬＥＤ回路２２２を介してエラー表示器１５５に与えられる。」（１３頁左欄６〜１７行）、
（１-f）「払出制御回路基板（賞球玉貸制御基板）１５２には、コネクタ１５３ａを介して、・・・玉払出検出器（賞球センサ）１８７・・・がさらに接続されている。」（１３頁右欄２８〜３１行）、
（１-g）「次に、図１６の後半部分のタイミングチャートに基づいて、故障等の何らかのエラーが生じている場合を説明する。まず入賞玉検出器１２２により入賞玉が検出されてその検出信号がＯＮになれば、前述と同様に賞球個数信号が出力される。・・・入賞玉排出ソレノイド１２７がＯＮに制御されて保持されている入賞玉を落下させて排出させる制御が行なわれる。ところが、入賞玉排出ソレノイド１２７がＯＮに制御されたにもかかわらず、入賞玉が排出されず入賞玉検出器１２２が継続してＯＮになっている。これは、入賞玉排出ソレノイド１２７の故障や玉詰まり等により、入賞玉が下方に排出されないというエラー状態が想定される。・・・排出制御基板（払出制御回路基板１５２）によりエラーの発生を検出してエラー表示器１５５によりエラー表示を行なう。」（１４頁右欄１２〜３３行）。
　上記記載によると、刊行物１には、
　遊技球の払い出しを行う払い出し手段（刊行物１記載の発明の「玉払出装置９７」がこれに対応している。以下、括弧内に刊行物１記載の発明における対応する構成を記す。）と、払い出し手段（該玉払出装置９７）により払い出された遊技球を検出する発光素子１８６と受光素子１８７によって構成された賞球検出スイッチ及び貸し球検出スイッチと、遊技盤側の遊技動作の制御を行う遊技制御機能を有する遊技制御基板（遊技制御基板１９９）と、前記払い出し手段（該玉払出装置９７）が払い出し指令に基づいて遊技球を払い出すように該払い出し手段（該玉払出装置９７）を制御する払い出し制御機能を有する払い出し制御基板（払出制御回路基板１５２）とを備え、前記賞球検出スイッチ及び貸し球検出スイッチをリード線を介して前記払い出し制御基板（払出制御回路基板１５２）に接続し、払い出し制御基板（払出制御回路基板１５２）によりエラーの発生を検出してエラー表示器１５５によりエラー表示を行なう弾球遊技機が記載されているといえる。
（２）刊行物２（特許２８２１４２５号公報）には、「【請求項１】・・・遊技盤と、該遊技盤上に設けられる電気的遊技装置と、前記遊技盤上に設けられる・・・景品玉を払出す景品玉払出装置と、前記電気的遊技装置と前記景品玉払出装置とを制御する制御手段と、を備えた弾球遊技機において、前記制御手段は、前記電気的遊技装置を駆動制御する遊技装置制御回路と、前記景品玉払出装置を駆動制御する払出装置制御回路とを含むと共に、遊技装置制御回路と払出装置制御回路とを別々の収納ケースに収納して配置し、前記電気的遊技装置の制御に用いる入賞玉検出手段からの検出信号を前記遊技装置制御回路に導出すると共に払出装置制御回路にも導出することを特徴とする弾球遊技機。」（【特許請求の範囲】）と記載されている。
（３）刊行物３（特開平１０−２０１９３３号公報）には、
（３-a）「払出制御用マイクロコンピュータ６０は、入賞玉検出器１２２がオンすると、遊技制御基板３１に対して入賞データ信号を出力する。それに応じて遊技制御基板３１から賞球個数信号Ｄ０〜Ｄ３が出力されるので、払出制御用マイクロコンピュータ６０は、景品玉払出制御を実行する。・・・スクリュー１８８の作用によって景品玉が１個ずつ払い出されるので、玉払出検出器２００の受光素子１８７から検出信号が出力される。検出信号の出力回数が賞球個数信号Ｄ０〜Ｄ３が示した値になると、払出制御用マイクロコンピュータ６０は、払出モータ１８９の回転を停止する。」（６頁右欄１８〜２９行）、
（３-b）「図１６には、入賞があり、時点ｋにおいて、遊技制御用マイクロコンピュータ５３によって、センサ入力があったと判定されエラーチェックタイマが起動された例が示されている。・・・景品玉払出制御が正常に遂行されるのであれば、時点ｎにおいて景品玉払出制御が開始される。しかし、何らかの理由、例えば払出モータ１８９の故障や景品玉欠乏（玉切れ検出器４２が玉切れを検出している状態）により景品玉払出制御が開始されなかったとする。このような状態で、時点ｏにおいて、次の入賞があったとすると、時点ｏにおいてエラーチェックタイマが起動される。そのときには、景品玉払出制御が開始されないので払出制御用マイクロコンピュータ６０から入賞データ信号は出力されず、エラーチェックタイマはクリアされることはない。そして、遂には、時点ｐにおいて、エラーチェックタイマはタイムアウトし、入賞玉処理エラーフラグがセットされる。このように、景品玉払出制御に異常が生ずると、遊技制御用マイクロコンピュータ５３によって、その異常が検出される。」（１２頁右欄８〜３１行）、と記載されている。
（４）刊行物４（特開平１１−４４１号公報）には、
（４-a）「表示状態が変化可能な可変表示装置を有し、・・・遊技機であって、遊技機の遊技状態を制御する遊技制御手段と、前記可変表示装置を表示制御する可変表示制御手段と、前記遊技制御手段から前記可変表示制御手段に、前記可変表示装置の表示制御に関する情報を伝送する情報伝送手段とを含み、前記遊技制御手段は、前記遊技機に異常が発生した場合にその旨を判定する異常判定手段を含み、前記情報伝送手段は、前記異常判定手段が異常の発生した旨を判定した場合に、・・・異常が発生した旨を前記可変表示装置により表示させる制御を行なうことを特徴とする、遊技機。」（【特許請求の範囲】）、
（４-b）「ＬＣＤユニット２４は、パチンコ遊技機が異常状態となったときにはエラーキャラクタを表示することにより、遊技者および操作員に対してエラーの発生を報知する。」（１０頁右欄２〜５行）と、記載されている。
　
３-3-2．対比・判断
（１）請求項１に係る発明について
　本件請求項１に係る発明と刊行物１ないし４記載の発明とを対比すると、刊行物１ないし４記載の発明は、本件請求項１に係る発明における「賞球検出スイッチ(46)及び貸し球検出スイッチ(45)をリード線を介して夫々前記遊技制御基板(32)・・・に接続し、前記遊技制御基板(32)に、前記賞球検出スイッチ(46)及び貸し球検出スイッチ(45)からの検出情報に基づいて異常判定を行う第１異常判定手段(52)を・・・備え、前記第１異常判定手段(52)は、前記払い出し制御基板(49)に賞球情報を送出してから所定時間経過しても賞球検出スイッチ(46)からの検出情報がないときに払い出し異常と判定する」構成（以下、「相違点の構成」という。）を有していない。
　すなわち、刊行物２には、弾球遊技機において、入賞玉検出手段からの検出信号を遊技制御基板（刊行物２記載の発明の「遊技装置制御回路」がこれに対応している。）に導出すると共に払い出し制御基板（刊行物２記載の発明の「玉払出装置制御回路」がこれに対応している。）にも導出することが記載されているが、賞球検出スイッチ及び貸し球検出スイッチからの検出情報を遊技制御基板に導出するものではない。
　また、刊行物３には、弾球遊技機において、景品玉払出制御に異常があるかを遊技制御基板（刊行物３記載の発明の「遊技制御用マイクロコンピュータ５３」がこれに対応している。）によって検出することが記載されているが、玉払出検出器２００からの信号は払出制御基板３７に入力されるものであり、さらに、刊行物４には、遊技制御基板（刊行物４記載の発明の「遊技制御手段」がこれに対応している。）が、前記遊技機に異常が発生したかを判定する異常判定手段を含み、異常判定手段が異常の発生した旨を判定することが記載されているが、賞球検出スイッチ及び貸し球検出スイッチからの検出情報を遊技制御基板に導出することは記載されていない。
　上記のとおり、刊行物１ないし４には、上記相違点の構成が記載されておらず、且つ、示唆されてもいない。
　そして、本件請求項１に係る発明は、特許明細書記載の効果を奏するものである。
　したがって、本件請求項１に係る発明が、引用刊行物１ないし４に記載された発明に基づいて当業者が容易に発明をすることができたものとすることはできない。
（２）請求項２ないし６に係る発明について
　請求項２ないし６に係る発明は、請求項１に係る発明をさらに限定するものであるから、上記「（１）請求項１に係る発明について」に記載した理由により、請求項２ないし６に係る発明が刊行物１ないし４に記載された発明に基いて当業者が容易に発明をすることができたものとすることはできない。
　
３-4．特許法第２９条の２違反について
３-4-1．先願明細書等に記載された発明
（１）先願出願１（特願平１０−２８０９４７号（特開２０００−１０７４３２号））の明細書等には、次の記載が認められる。
（１-a）「機構板３６には、・・・基板ケース３２に覆われ遊技制御用マイクロコンピュータ等が搭載された遊技制御基板（主基板）３１、可変表示制御ユニット２９と遊技制御基板３１との間の信号を中継するための中継基板３３、および景品玉の払出制御を行う賞球制御用マイクロコンピュータ等が搭載された賞球制御基板３７が設置されている。」（４頁左欄３２〜３９行）、
（１-b）「賞球払出制御を行うために、入賞球検出スイッチ９９、始動口スイッチ１７およびＶカウントスイッチ２２からの信号が、主基板３１に送られる。・・・主基板３１に入賞球検出スイッチ９９のオン信号が送られると、主基板３１から賞球制御基板３７に賞球制御コマンドが送られる。」（４頁右欄９〜１５行）、
（１-c）「さらに、賞球カウントスイッチ３０１Ａからの検出信号も、中継基板７２および中継基板７１を介して主基板３１のＩ／Ｏポート５７に入力される。また、主基板３１のＩ／Ｏポート５７から入賞球排出ソレノイド１２７への駆動信号は、中継基板７１を介して入賞球排出ソレノイド１２７に供給される。
　なお、賞球カウントスイッチ３０１Ａは、玉払出装置９７の賞球機構部分に設けられ、実際に払い出された賞球を検出する。」（６頁右欄４〜１１行）、
（１-d）「さらに、賞球制御基板３７には、中継基板７２を介して、賞球カウントスイッチ３０１Ａの検出信号および球貸しカウントスイッチ３０１Ｃの検出信号が入力される。賞球制御基板３７からの賞球モータ２８９への駆動信号は、中継基板７２を介して玉払出装置９７の賞球機構部分における賞球モータ２８９に伝えられる。なお、球貸しカウントスイッチ３０１Ｃは、玉払出装置９７の球貸し機構部分に設けられ、実際に貸し出された遊技球を検出する。」（６頁右欄３５〜頁欄行）、
（１-e）「賞球制御基板３７に搭載されている賞球制御用ＣＰＵは、賞球制御コマンドに応じて玉払出装置９７を駆動する。」（７頁右欄４６〜４８行）、
（１-f）「図３５に示すように、主基板３１においてＣＰＵ５６が入賞球検出スイッチ９９のオン（図３５におけるＳ１，Ｓ２）を検出すると、所定の賞球払出予定個数を示す賞球制御コマンドを賞球制御基板３７に出力する（図３５におけるタイミングＡ）。このとき、ＩＮＴ信号が４ｍｓ間オン状態（ローレベル）にされる。賞球制御基板３７において、賞球制御用ＣＰＵ３７１は、賞球制御コマンドを受信して払出個数を認識する。そして、払出個数に応じて玉払出装置９７の賞球モータ（賞球ステッピングモータ）２８９を駆動する。
【０１４７】主基板３１のＣＰＵ５６は、実際に払い出された賞球個数を、賞球カウントスイッチ３０１Ａを介して検出する。図３５に示すように、賞球カウントスイッチ３０１Ａの検出信号がオフしたら時間Ｔ１のタイマをスタートさせ、Ｔ１がタイムアウトしたら、それまでに入力した賞球カウントスイッチ３０１Ａの検出信号のカウント数をチェックして個数チェックを行い、カウント数が払出予定個数と一致していたら賞球が正常に完了したと認識する。そして、次の入賞があったかどうか確認する。」（１６頁左欄２６〜４５行）、
（１-g）「（２）タイマＴ４：賞球制御コマンド送出時にセットされ、タイムアウトするまでに賞球カウントスイッチが１回もオンしない場合にエラーとされる。
（３）タイマＴ５：エラー検出時にセットされ、タイムアウトするまでエラー表示が行われる。」（１７頁左欄２〜６行）、
（１-h）「賞球カウントスイッチ３０１Ａの出力がオン状態になると、タイマＴ１３を停止して（ステップＳ３５３）、タイマＴ１４を起動する（ステップＳ３５４）。そして、賞球カウントスイッチ３０１Ａがオフするのを待つ（ステップＳ３５５）。賞球カウントスイッチ３０１Ａがオフする前にタイマＴ１４がタイムアウトするとエラー処理に移行する（ステップＳ３５６，Ｓ３４２）。タイマＴ１４がタイムアウトする前に賞球カウントスイッチ３０１Ａがオフした場合には、タイマＴ１４を停止して（ステップＳ３５７）、賞球個数カウンタを＋１する（ステップＳ３５８）。」（２０頁右欄３４〜４４行）、
（１-i）「既に説明したように、主基板３１における基本回路５３のＣＰＵ５６は、賞球カウントスイッチ３０１Ａの出力を監視している。上述したように賞球制御基板３７の賞球制御用ＣＰＵ３７１も賞球カウントスイッチ３０１Ａの出力を導入して監視しているのであるが、両者で監視することによって、景品玉の払出制御はより確実になる。例えば、賞球カウントスイッチ３０１Ａから賞球制御基板３７に至るケーブルにノイズがのって賞球カウントスイッチ３０１Ａの出力に誤りが生じても、正しく払出制御を実行することができる。」（２１頁左欄２０〜２９行）。
　上記記載によると、先願出願１の明細書等には、
　遊技球の払い出しを行う払い出し手段（先願出願１の明細書等記載の発明の「玉払出装置９７」がこれに対応している。以下、括弧内に先願出願１の明細書等記載の発明において対応する構成を記す。）と、該払い出し手段（玉払出装置９７）により払い出された遊技球を検出する賞球検出スイッチ（賞球カウントスイッチ３０１Ａ）及び貸し球検出スイッチ（球貸しカウントスイッチ３０１Ｃ）と、遊技盤側の遊技動作の制御を行う遊技制御機能を有する遊技制御基板（遊技制御基板３１）と、前記払い出し手段（玉払出装置９７）が払い出し指令に基づいて遊技球を払い出すように該払い出し手段（玉払出装置９７）を制御する払い出し制御機能を有する払い出し制御基板（賞球制御基板３７）とを備えた弾球遊技機において、前記賞球検出スイッチ（賞球カウントスイッチ３０１Ａ）をリード線を介して前記遊技制御基板（遊技制御基板３１）に接続し、賞球検出スイッチ（賞球カウントスイッチ３０１Ａ）及び貸し球検出スイッチ（球貸しカウントスイッチ３０１Ｃ）をリード線を介して前記払い出し制御基板（賞球制御基板３７）に接続し、前記遊技制御基板（遊技制御基板３１）に、前記賞球検出スイッチ（賞球カウントスイッチ３０１Ａ）からの検出情報に基づいて異常判定を行う第１異常判定手段を備え、前記第１異常判定手段は、前記払い出し制御基板（賞球制御基板３７）に賞球情報を送出してから所定時間経過しても賞球検出スイッチ（賞球カウントスイッチ３０１Ａ）からの検出情報がないときに払い出し異常と判定するようにした弾球遊技機（以下、「先願出願１の発明」という。）が記載されていると認められる。
（２）先願出願２（特願平１１−１３３６９７号（特開２０００−３１７１０４号公報））の明細書等には、次の記載が認められる。
（２-a）「払出制御装置４は、指令された払出個数に（賞球指令数に）応じてステッピングモータを回転駆動し、球排出装置２に対するパチンコ球の払出制御を行うサブＣＰＵ５と、・・・各制御プログラムを格納したＲＯＭ（図示せず）と、・・・ＲＡＭ（図示せず）とを含んで構成されている。」（５頁左欄７〜１３行）、
（２-b）「メイン制御装置１０は、遊技状況に応じて遊技に関する実質的な制御を行うメインＣＰＵ１１と、・・・各制御プログラムを格納したＲＯＭ（図示せず）と、・・・ＲＡＭ（図示せず）とを含んで構成されている。」（５頁左欄２５〜３０行）、
（２-c）「賞品球排出路６を流下する賞品球を直接検出する排出賞球検出器８は、メイン制御装置１０及び払出制御装置４に接続されており、排出賞球検出器８の球検出信号（実排出賞球個数１球に対応）がメイン制御装置１０及び払出制御装置４にそれぞれ入力される。
【００３３】また、貸球排出路７を流下する貸球を直接検出する排出貸球検出器９は、払出制御装置４に接続されており、排出貸球検出器９の球検出信号（実排出貸球個数１球に対応）が払出制御装置４に入力される。」（５頁右欄２１〜２９行）、
（２-d）「メイン制御装置１０には、第１入賞検出手段１８及び第２入賞検出手段１９からの入賞検出信号に応じた賞品球の払出個数を累積して累積賞球指令数を算出する賞球指令数累積手段と、排出賞球検出器８の球検出信号に応じた実排出賞球個数を累積賞球指令数から減じると共に、累積賞球指令数と実排出賞球個数との差分が所定数に達しているか否かを判別し、差分が所定数に達している場合に賞球異常と判別する賞球異常判別手段と、排出賞球検出器８からの球検出信号によりリセットされるタイマ手段とが設けられている。」（６頁左欄１５〜２４行）、
（２-e）「払出制御装置４には、メイン制御装置１０から送られた賞球コマンドに応じて球排出装置２の動作制御を開始した時点から終了した時点までの間に、排出賞球検出器８からの球検出信号が全く検出されない場合に、球排出装置２の排出動作を停止する異常停止制御手段及び賞球排出異常を報知制御する賞球排出異常報知制御手段と、・・・累積貸球指令数と実排出貸球数との差分が所定数（＝１２７）に達しているか否かを判別し、実排出貸球数が累積貸球指令数を上回り、かつ差分が所定数に達している場合に貸球異常と判別する貸球異常判別手段とが設けられている。」（６頁左欄３６〜５０行）。
　上記記載によると、先願出願２の明細書等には、
　遊技球の払い出しを行う払い出し手段（先願出願２の明細書等記載の発明の「球排出装置２」がこれに対応している。以下、括弧内に先願出願２の明細書等記載の発明において対応する構成を記す。）と、該払い出し手段（球排出装置２）により払い出された遊技球を検出する賞球検出スイッチ（排出賞球検出器８）及び貸し球検出スイッチ（排出貸球検出器９）と、遊技盤側の遊技動作の制御を行う遊技制御機能を有する遊技制御基板（メイン制御装置１０）と、前記払い出し手段（球排出装置２）が払い出し指令に基づいて遊技球を払い出すように該払い出し手段（球排出装置２）を制御する払い出し制御機能を有する払い出し制御基板（払出制御装置４）とを備えた弾球遊技機において、
前記賞球検出スイッチ（排出賞球検出器８）をリード線を介して前記遊技制御基板（メイン制御装置１０）に接続し、貸し球検出スイッチ（排出貸球検出器９）及び貸し球検出スイッチ（排出貸球検出器９）をリード線を介して夫々前記払い出し制御基板（払出制御装置４）に接続し、前記遊技制御基板（メイン制御装置１０）に、前記賞球検出スイッチ（排出賞球検出器８）及び貸し球検出スイッチ（排出貸球検出器９）からの検出情報に基づいて異常判定を行う第１異常判定手段（賞球異常判別手段）を、前記払い出し制御基板（払出制御装置４）に、前記貸し球検出スイッチ（排出貸球検出器９）からの検出情報に基づいて異常判定を行う第２異常判定手段（貸球異常判別手段）を夫々備え、前記第１異常判定手段は、前記払い出し制御基板（払出制御装置４）に賞球情報を送出してから所定時間経過しても賞球検出スイッチ（排出賞球検出器８）からの検出情報がないときに払い出し異常と判定するようにした弾球遊技機（以下、「先願出願２の発明」という。）が記載されていると認められる。
（３）刊行物４（特開平１１−４４１号公報）には、上記「３-3-1．刊行物に記載された発明」に摘記したとおりの発明が記載されている。
（４）刊行物５（特開平１０−３０９３６９号公報）には、
（４-a）「１３は同じくパチンコ遊技機の裏側に設けられた小型の透明プラスチックケースで、該ケース１３中にプリント回路基板からなるコントロールパネル１４が設けられている。」（３頁左欄１〜４行）、
（４-b）「４１は７セグメント表示器からなるエラー表示器で、該エラー表示器４１は透明なケース１３を通して視認できるように該コントロールパネル１４に設けられている。」（３頁左欄４４〜４７行）、と記載されている。
（５）刊行物６（特開平７−３１７３５号公報）には、
（５-a）「前記排出制御装置４７には、発明の特徴部分である、異常検出装置５１が組み込まれており、図１１に示すように、この異常検出装置５１は、前記排出装置１９の異常態様を検出する異常判定手段５２と、この異常判定手段５２からの異常判定信号に基づき異常態様を表示する表示手段５３が設けられている。」（５頁左欄２２〜２７行）と記載されており、
（５-b）図２には、表示手段５３が遊技機の裏側に配置された排出装置１９内の払出制御装置４７に、外部から視認可能に配置されていることが開示されている。
（６）刊行物７（特開平５−２０８０７０号公報）には、「払出制御基板ボックス１４５には、エラー原因表示器１４６が設けられており、玉払出器６３によりパチンコ玉の払出に異常が生じた場合のその異常原因の種類を表示できるように構成されている。」（４頁右欄１４〜１７行）と記載されている。
（７）刊行物８（特開平９−２７１５６５号公報）には、
（７-a）「画像表示装置４は、例えば液晶表示装置などによって構成され、変動表示遊技などの遊技関連の画像が表示されるようになっている。また、この画像表示装置４に球の排出発射に関連する情報（本体枠関連情報）が合成表示されるようになっている。」（４頁右欄２８〜３２行）、
（７-b）「排出発射制御回路２１０Ａが球の排出発射関連の機構やその他の裏機構のトラブル（後述）を検知した場合には、そのトラブルの情報がコマンド信号に載って表示制御回路２８０Ａに送られる。このコマンド信号に基づいて、表示用ＣＰＵ２８２の指令により、・・・画像表示装置４で遊技関連の画像に合成されて前記トラブルに応じたトラブル情報の表示が行われる。」（１０頁左欄９〜２１行）、と記載されている。
（８）刊行物９（特開平６−２６９５４７号公報）における図６には、異常を検出した場合、「可変表示装置に異常情報を表示」と記載されている。
（９）刊行物１０（特開平７−３２３１１８号公報）には、「払出制御回路基板９５には、景品玉払出装置６８や入賞玉処理装置８３、あるいはカードユニット４０からの配線を接続するためのコネクタ端子９６や、・・・故障の種類を数値で表示するエラー表示器９８、制御動作のプログラム暴走時等にリセットするリセットスイッチ９９が設けられ、それらが外部に臨むように基板ボックス９４の蓋カバーが左右両側で段差状に形成されると共に開口部となっている。」（６頁右欄４４行〜７頁左欄３行）と記載されている。
（１０）刊行物１１（特開平６−７９０３１号公報）には、「この枠制御基板には、整流回路や検出回路を構成する各種デバイスを適宜配設すると共に、後述する動作状態をコード化して可視表示する２桁の７セグメント発光ダイオードからなるＬＥＤ表示部９０を設けてある。」（６頁左欄３０〜３４行）と記載されている。
（１１）刊行物１２（特開平６−３０４２９９号公報）には、
（１１-a）「本発明は、上記した目的を達成するためのものであり、・・・請求項１記載の発明は、メイン基板(100)に、一端が入出力端子(80)を介して各外部検出素子（例えばスタートスイッチ50やメダルセレクター第１，第２センサー130,131等）にそれぞれ接続され、他端が入出力端子(80)を介して外部電源(140)に接続された複数のモニターランプ(151〜168)とを設けたことを特徴とする。」（２頁右欄１４〜２２行）、
（１１-b）「請求項１記載の発明によれば、外部検出素子（例えばスタートスイッチ50やメダルセレクター第１，第２センサー130,131等）から検出信号が出力されると、回路が導通して、モニターランプ(151〜168)が点灯する。このとき、モニターランプ(151〜168)の点灯状態は、透明ケース(110)を通して視認することができる。」（２頁右欄３１〜３７行）、と記載されている。
（１２）刊行物１３（特開平７−１１６３１０号公報）には、「異常が発生したときには、左図柄１２に「Ｅ」の文字を点灯させ、中図柄１４ｂに「−」を点灯させ、右図柄１３に異常の種類に応じて決められた１〜４のいずれかの数値を表示させる。また、記憶表示ＬＥＤ２０は、異常発生前の状態を保持する。更に、効果音Ｋが発生される。」（８頁右欄２７〜３２行）と記載されている。
（１３）刊行物１４（特開平５−３４５０６８号公報）には、「そして、自己診断後、遊技制御装置７５からデータ転送が開始されると遊技表示に入るのであるが、この場合データ転送がないまま所定時間が経過すると、映像出力制御装置４５によって映像表示装置２０に、異常表示データに基づく映像、例えば「この遊技台はトラブルが発生しました。誠に申し訳ありませんが係員をお呼び下さい。」等が全画面表示され、管理装置９０に異常信号が出力される（図３９、図５４）。」（１０頁左欄４４行〜同頁右欄１行）と記載されている。
　
３-4-2．対比・判断
（１）請求項１に係る発明について
　本件請求項１に係る発明と先願出願１又は２の発明とを対比すると、先願出願１又は２の発明は、本件請求項１に係る発明の構成要件である、賞球検出スイッチ(46)及び貸し球検出スイッチ(45)をリード線を介して遊技制御基板(32)に接続し、前記遊技制御基板(32)に、前記賞球検出スイッチ(46)及び貸し球検出スイッチ(45)からの検出情報に基づいて異常判定を行う第１異常判定手段(52)を備える構成を有していない点で本件請求項１に係る発明と構成が相違する。
　そして、前記相違する構成は、刊行物４ないし１４を考慮しても、周知・慣用技術とはいえないから、本件請求項１に係る発明が先願出願１又は２の発明と同一であるとはいえない。
（２）請求項２ないし６に係る発明について
　払い出し制御基板に、外部から視認可能な異常報知手段を備えること、及び、異常報知手段による異常報知を遊技盤の遊技領域に配置された液晶表示手段により行うようにすることが周知技術である（上記刊行物４ないし１４参照）としても、請求項２ないし６は、請求項１を引用するものであり、本件請求項２ないし６に係る発明は、請求項１に係る発明をさらに限定するものであるから、上記「（１）請求項１に係る発明について」に記載した理由により、請求項２ないし６に係る発明が先願出願１又は２の発明と同一であるとすることはできない。
３-5．むすび
　以上のとおりであるから、特許異議申立ての理由及び証拠方法によって、本件請求項１ないし６に係る発明の特許を取り消すことはできない。
　また、他に本件請求項１ないし６に係る発明の特許を取り消すべき理由を発見しない。
　よって、結論のとおり決定する。
【異議決定日】
平成１５年１２月２５日（２００３．１２．２５）
【訂正の要旨】
審決（決定）の【理由】欄参照。
（５４）【発明の名称】
弾球遊技機
（５７）【特許請求の範囲】
　【請求項１】　遊技球の払い出しを行う払い出し手段（３５）と、該払い出し手段（３５）により払い出された遊技球を検出する
賞球検出スイッチ（４６）及び貸し球検出スイッチ（４５）
賞球検出スイッチ（４６）及び貸し球検出スイッチ（４５）
夫々
賞球検出スイッチ（４６）及び貸し球検出スイッチ（４５）
賞球検出スイッチ（４６）及び貸し球検出スイッチ（４５）
賞球検出スイッチ（４６）
　【請求項２】　前記第１異常判定手段（５２）の異常判定に基づいて異常報知を行う第１異常報知手段（１５）と、前記第２異常判定手段（６４）の異常判定に基づいて異常報知を行う第２異常報知手段（６６）とを夫々備えたことを特徴とする請求項１に記載の弾球遊技機。
　【請求項３】　前記遊技制御基板（３２）は、前記遊技盤（７）の遊技領域（１３）に配置された入賞手段（１６）〜（２１）への遊技球の入賞に基づいて前記払い出し制御基板（４９）に賞球情報を送出し、前記払い出し制御基板（４９）は、前記賞球情報に基づいて前記払い出し指令を出力するようにしたことを特徴とする請求項１又は２に記載の弾球遊技機。
　【請求項４】　前記第２異常判定手段（６４）は、前記払い出し手段（３５）に賞球情報を送出してから所定時間経過しても
賞球検出スイッチ（４６）
　【請求項５】　遊技機本体（１）の裏側に配置された基板ケース（４７）内の払い出し制御基板（４９）に、前記基板ケース（４７）の外部から視認可能な前記第２異常報知手段（６６）を備えたことを特徴とする請求項１〜４の何れかに記載の弾球遊技機。
　【請求項６】　前記第１異常報知手段（１５）は、前記遊技盤（７）の遊技領域（１３）に配置された液晶表示手段（１５）により異常報知を行うようにしたことを特徴とする請求項１〜５の何れかに記載の弾球遊技機。
【発明の詳細な説明】
　【０００１】
　【発明の属する技術分野】
　本発明は、パチンコ機、アレンジボール機、雀球遊技機等の弾球遊技機に関するものである。
　【０００２】
　【従来の技術】
　パチンコ機等の弾球遊技機では、従来、主制御基板に、遊技盤側の遊技動作の制御を行う遊技制御機能と、払い出し手段により遊技球を払い出す払い出し制御機能とを持たせ、主制御基板側で全ての制御を行っている。
　【０００３】
　しかし、最近の弾球遊技機では、遊技制御機能と払い出し制御機能とを完全に分離し、遊技制御機能は遊技制御基板に、払い出し制御機能は払い出し制御基板に夫々持たせて、基板の単機能化を図る傾向にある。
　【０００４】
　この場合、遊技盤の入賞手段に遊技球が入賞すれば、遊技制御基板側から賞球コマンドを払い出し制御基板へと送信し、払い出し制御基板側でその賞球コマンドを解析して総獲得遊技球数を演算し、その総獲得遊技球数に応じて払い出し指令により払い出し手段を制御することが考えられている。
　【０００５】
　【発明が解決しようとする課題】
　通常、払い出し手段から払い出される賞球を検出スイッチで検出しながら、払い出し制御基板側で賞球の払い出し個数の過不足を判断し、払い出し手段側で払い出しエラーが発生した場合には、払い出し制御基板側で払い出し手段にリトライ指令を出して、所定数の賞球を払い出すように制御する。
　【０００６】
　しかし、弾球遊技機では、払い出し制御基板から遊技制御基板へと信号を送信することが認められていないため、払い出し手段側で払い出しエラーが発生した場合に、遊技制御基板側で何等かの判定を行い、払い出し動作の停止、その他の制御を行うことはできない。
　【０００７】
　本発明は、かかる従来の課題に鑑み、検出スイッチからの検出情報を各制御基板に送って、遊技制御基板、払い出し制御基板の夫々で所定の処理、制御等を行うことができる弾球遊技機を提供することを目的とする。
　【０００８】
　【課題を解決するための手段】
　本発明は、遊技球の払い出しを行う払い出し手段３５と、該払い出し手段３５により払い出された遊技球を検出する
賞球検出スイッチ４６及び貸し球検出スイッチ４５
賞球検出スイッチ４６及び貸し球検出スイッチ４５
夫々
賞球検出スイッチ４６及び貸し球検出スイッチ４５
賞球検出スイッチ４６及び貸し球検出スイッチ４５
賞球検出スイッチ４６
　【０００９】
　【発明の実施の形態】
　以下、本発明の各実施例を図面に基づいて詳述する。図１〜図７は本発明の第１の実施形態を例示し、図１は弾球遊技機の前側の正面図であり、１は遊技機本体で、矩形枠状の外枠２と、この外枠２に開閉自在に枢着された前枠３とを備えている。前枠３はガラス扉４及び前面板５を備え、その裏側に遊技盤７が配置されている。遊技盤７は前枠３の裏側の装着枠６（図２参照）に後方から着脱自在に装着されている。前面板５には、発射用の遊技球を貯留する上皿８が設けられている。前枠３の下部には、余剰球を貯留する下皿９と、遊技盤７側に遊技球を発射するための発射手段１０用の発射ハンドル１１とが設けられている。
　【００１０】
　遊技盤７の前面には、図３に示すように、遊技球を案内するガイドレール１２が装着されると共に、このガイドレール１２の内側の遊技領域１３に、特別図柄表示手段１４を兼用する遊技情報表示用の液晶表示手段１５と、普通図柄始動用の第１始動手段１６、特別図柄始動用の第２始動手段１７、開閉式の可変入賞手段１８、普通入賞手段１９〜２１等の複数個の遊技部品が装着されている。
　【００１１】
　特別図柄表示手段１４は、１個又は複数個の特別図柄を表示し、第２始動手段１７が遊技球を検出することを条件に、その特別図柄が乱数制御により所定時間変動して停止するようになっている。また普通図柄表示手段２２は、１個又は複数個の普通図柄を表示し、第１始動手段１６が遊技球を検出することを条件に、その普通図柄が乱数制御により所定時間変動して停止するようになっている。なお普通図柄表示手段２２は、液晶表示手段１５の上部に設けられている。
　【００１２】
　可変入賞手段１８は所謂アタッカーを構成するもので、特別図柄表示手段１４の変動後に特定図柄（以下、大当たり図柄という）を表示することに関連して、下部側の横軸廻りに回動する開閉板２３が大入賞口２４を開放するようになっている。
　【００１３】
　第２始動手段１７は、一対の開閉爪２５を備えた開閉式であって、普通図柄表示手段２２の変動後に特定図柄（以下、当たり図柄という）を表示することに関連して、開閉爪２５が所定時間開放するようになっている。
　【００１４】
　なお、第２始動手段１７、普通入賞手段１９〜２１、可変入賞手段１８に遊技球が入賞したときには、その１入賞当たり規定数の賞球が払い出されるが、その賞球数は第２始動手段１７、普通入賞手段１９〜２１が例えば６個の少数に、可変入賞手段１８が例えば１５個の多数に設定されており、１入賞当たりの賞球数が異なっている。
　【００１５】
　図２は弾球遊技機の背面図を示す。図２において、発射手段１０は、打撃槌２６と、この打撃槌２６を駆動する発射モータ２７とを備え、発射ハンドル１１を操作したときに発射モータ２７が打撃槌２６を駆動し、その打撃槌２６により発射レール上の遊技球を打撃して遊技盤７側に発射させるようになっている。
　【００１６】
　２８は裏機構板で、装着枠６に開閉自在に枢着され、閉状態で装着枠６内の遊技盤７を裏側から押圧して固定するようになっている。裏機構板２８には、その中央部に開口部２９が形成され、この開口部２９に遊技盤７の裏側の裏カバー３０が嵌合されている。
　【００１７】
　裏カバー３０は、遊技盤７に装着された普通入賞手段１９〜２１等の各遊技部品を裏側から覆うためのもので、その裏側に第１基板ケース３１と第２基板ケース３７と第３基板ケース８０とが着脱自在に設けられている。第１基板ケース３１内には、遊技盤７に固有の遊技制御基板３２が収容されている。遊技制御基板３２は所謂主制御基板で、遊技盤７側の遊技動作の制御を行う遊技制御機能等を有するＲＯＭ、ＲＡＭ、ＣＰＵ、その他の電気部品が実装されている。第２基板ケース３７内には、表示ランプ制御基板３８が収容され、第３基板ケース８０には、音声制御基板３９が収容されている。
　【００１８】
　裏機構板２８には、開口部２９の上側に遊技球タンク３３と遊技球案内レール３４が、左右方向の一側方に払い出し手段３５が、下側に通路ユニット３６と第４基板ケース４７が夫々装着されている。遊技球タンク３３は島側の球補給装置から補給された遊技球を貯留するためのもので、この遊技球タンク３３から遊技球案内レール３４を経て払い出し手段３５側に遊技球を供給するようになっている。
　【００１９】
　払い出し手段３５は、入賞時の賞球の払い出しと、球貸し操作時の貸し球の貸し出しとを行うためのものである。この払い出し手段３５は、図４及び図５に示すように、上下方向に配置された払い出しケース４０と、この払い出しケース４０内に回転軸４１廻りに回転自在に設けられた回転体４２と、この回転体４２を駆動する払い出しモータ４３とを備えている。なお、払い出しモータ４３には、ステッピングモータ等が使用されている。
　【００２０】
　払い出しケース４０の内部は、左右に２列の払い出し通路４４に区画されている。回転体４２は、各払い出し通路４４に対応する外周に周方向に複数個の繰り出し凹部４２ａが形成され、繰り出し凹部４２ａに入った遊技球をその回転に伴って順次払い出すようになっている。なお、回転体４２の各払い出し通路４４の繰り出し凹部４２ａは周方向に半ピッチずれており、各払い出し通路４４で遊技球を交互に払い出すようになっている。
　【００２１】
　払い出しケース４０の下部には、回転体４２により払い出された遊技球を検出するように賞球検出スイッチ４６が各払い出し通路４４に対応して上下に設けられている。賞球検出スイッチ４６は、接触式又は無接触式で遊技球を検出するようになっている。
　【００２２】
　通路ユニット３６は、払い出し手段３５から払い出された遊技球を上皿８側に案内し、上皿８の遊技球が満杯状態のときに、遊技球を分流させて下皿９側に案内するようになっている。第４基板ケース４７には、電源基板４８と払い出し制御基板４９とが収容されている。なお、第４基板ケース４７は、前枠３の裏側に装着しても良い。
　【００２３】
　賞球検出スイッチ４６は、図６に示すように、遊技制御基板３２及び払い出し制御基板４９にリード線、コネクタ等を介して夫々接続され、払い出し手段３５が遊技球を払い出したときに、その遊技球を検出した検出情報を各制御基板３２，４９へと送信するようになっている。
　【００２４】
　遊技制御基板３２には、中継基板等を介して特別図柄表示手段１４、液晶表示手段１５、第１始動手段１６、第２始動手段１７、可変入賞手段１８、普通入賞手段１９〜２１、普通図柄表示手段２２等が接続されている。また払い出し制御基板４９は、遊技制御基板３２及び払い出し手段３５に接続されている。
　【００２５】
　図７は制御系のブロック図を示す。遊技制御基板３２には、ＲＯＭ、ＲＡＭ、ＣＰＵ等により構成された遊技制御手段５０、入賞処理手段５１、第１異常判定手段５２、第１異常報知制御手段５３、停止復帰指令手段５４等が設けられている。
　【００２６】
　入賞処理手段５１は、第１入賞記憶部５５と第２入賞記憶部５６と賞球コマンド送信部５７と最新コマンド送信記憶部５８とを有する。なお、遊技制御基板３２は、入賞処理手段５１によって、第２始動手段１７、可変入賞手段１８、普通入賞手段１９〜２１等の入賞手段への遊技球の入賞に基づいて払い出し制御基板４９に賞球情報を送出するように構成されている。
　【００２７】
　第１入賞記憶部５５は、第２始動手段１７、普通入賞手段１９〜２１等の少数賞球入賞手段に遊技球が入賞する入賞検出があったときに、払い出し制御基板４９への賞球コマンド（４００６Ｈ）の未送信分の情報を記憶するためのものである。第２入賞記憶部５６は、可変入賞手段１８（多数賞球入賞手段）に遊技球が入賞する入賞検出があったときに、払い出し制御基板４９への賞球コマンド（４００ＦＨ）の未送信分の情報を記憶するためのものである。
　【００２８】
　賞球コマンド送信部５７は、各入賞記憶部５５，５６に入賞検出に基づく未送信分の賞球情報の記憶があるときに、所定時間（例えば２ｍｓｅｃ）毎に１賞球コマンドを払い出し制御基板４９側へと送信するためのもので、第２入賞記憶部５６に賞球情報の記憶がある場合には、入賞検出の順番に関係なく第１入賞記憶部５５側に優先して第２入賞記憶部５６側の記憶情報に従って賞球コマンドを送信するようになっている。
　【００２９】
　最新コマンド送信記憶部５８は、最終に払い出し制御基板４９に送信した最新コマンド送信情報だけを記憶するためのもので、賞球コマンド送信部５７が各入賞情報記憶部５５，５６の記憶情報に従って１賞球コマンドを送信すると同時に、その最新コマンド送信情報を格納して記憶し、賞球コマンドの送信毎にその記憶情報が更新されるようになっている。
　【００３０】
　第１異常判定手段５２は、賞球検出スイッチ４６からの検出情報、その他に基づいて異常判定を行うためのもので、賞球コマンド送信部５７による最新コマンドの送信後に所定時間（例えば２２．４ｓｅｃ間）経過しても賞球検出スイッチ４６から検出情報がないとき、及び賞球コマンドの送信後に賞球検出スイッチ４６が規定数の賞球を検出しないときに、払い出し手段３５の故障等による払い出し異常として夫々異常判定を行う機能と、可変入賞手段１８内の入賞計数スイッチの断線、短絡等を判定する機能と、賞球検出スイッチ４６の断線、短絡等判定する機能とを有する。
　【００３１】
　第１異常報知制御手段５３は、第１異常判定手段５２での異常判定に基づいて、液晶表示手段１５がその表示領域に文字、その他の所定の表示形態で各異常を識別可能に表示するように制御するためのもので、最新コマンドの送信から所定時間だけ賞球検出スイッチ４６から検出情報がないときにエラー表示１の異常報知を、賞球検出スイッチ４６が規定数の賞球を検出しないとき、可変入賞手段１８内の入賞計数スイッチの断線、短絡を検出したとき、及び賞球検出スイッチ４６の断線、短絡を検出したときに別のエラー表示２の異常報知を、夫々表示領域の異常表示部に表示させるようになっている。なお、払い出し手段３５の故障時のエラー表示１は、手動により払い出し手段３５を作動させて、賞球検出スイッチ４６が賞球を検出したときに解除するようになっている。
　【００３２】
　停止復帰指令手段５４は、下皿９内の遊技球の満杯、払い出し手段３５内の球切れ、エラー表示１の表示中等、払い出し手段３５による賞球の払い出しを停止させるべき所定の停止条件を検出したときに、払い出し制御基板４９に払い出し停止コマンドを送信し、また停止条件の解消時に払い出し制御基板４９に払い出し復帰コマンドを送信するようになっている。
　【００３３】
　払い出し制御基板４９には、ＲＯＭ、ＲＡＭ、ＣＰＵ等により構成されたコマンド解析手段５９、賞球払い出し制御手段６０、リトライ制御手段６１、賞球情報出力処理手段６２、停止復帰処理手段６３、第２異常判定手段６４、第２異常報知制御手段６５等が設けられると共に、７セグメント表示素子等により構成された第２異常報知手段６６が設けられている。なお、払い出し制御基板４９は、賞球情報信号に基づいて払い出し手段３５に払い出し指令を出力するようになっている。
　【００３４】
　コマンド解析手段５９は、遊技制御基板３２側の賞球コマンド送信部５７からの賞球コマンドを受信し、その賞球コマンドを解析して総獲得遊技球数を演算し記憶するためのものである。
　【００３５】
　賞球払い出し制御手段６０は、払い出し手段３５が払い出し指令に基づいて所定数の遊技球を払い出すように、払い出し手段３５を制御する払い出し制御機能を有する。
　【００３６】
　即ち、この賞球払い出し制御手段６０は、コマンド解析手段５９の総獲得遊技球数の記憶値が所定個数、例えば２５個未満のときに、払い出し手段３５の払い出しモータ４３を１回作動させる払い出し指令を出し、また記憶値が２５個以上であれば、払い出し手段３５の１回の払い出し単位を２５個として、この払い出し単位毎に払い出しモータ４３を作動させる払い出し指令を出して払い出し手段３５を夫々制御すると共に、賞球検出スイッチ４６の検出情報で賞球の払い出し個数を確認するようになっている。
　【００３７】
　リトライ制御手段６１は、払い出し手段３５での賞球の払い出し個数が不足したときに、その不足分の賞球数だけ払い出し手段３５を再動作させるためのもので、賞球払い出し制御手段６０側で賞球の払い出し不足を検出したときに、賞球を１個払い出す速度で不足分に対応した回転数だけ払い出しモータ４３を回転させるようになっている。
　【００３８】
　第２異常判定手段６４は、賞球払い出し制御手段６０により払い出し手段３５に払い出し指令を送出してから所定時間経過した場合、リトライ制御手段６１により払い出し手段３５にリトライ指令から所定時間（例えば２２．４ｓｅｃ）経過した場合に、賞球検出スイッチ４６が賞球を検出しないときに払い出しモータ４３の異常判定を行い、また賞球検出スイッチ４６の断線、短絡を所定時間（例えば２ｓｅｃ）検出したときに異常判定を行うようになっている。
　【００３９】
　停止復帰処理手段６３は、停止復帰指令手段５４から払い出し停止コマンド（６０１１Ｈ）を受信したときに、払い出し手段３５が賞球の払い出し中であっても、払い出しモータ４３を停止させ、払い出し復帰コマンドを受信したときに、払い出しモータ４３を回転させて払い出し動作を再開させるようになっている。なお、この停止復帰処理手段６３は、コマンド解析手段５９が賞球コマンドを受信したときに、エラー中以外と解析して、総獲得遊技球数の記憶を行うようになっている。
　【００４０】
　第２異常報知手段６６は、第２異常判定手段６４の異常判定に基づいて、その異常判定の判定結果を数字等で種類別に識別可能に表示して報知するためのもので、第４基板ケース４７の外側から目視により表示内容を確認できるようになっている。なお、第２異常報知手段６６は、７セグメント表示素子等により構成されているが、その他の異常報知手段を採用しても良い。
　【００４１】
　賞球情報出力処理手段６２は、払い出し手段３５による払い出し動作時に、所定数、例えば１０個の賞球の払い出しで１回の賞球情報信号を１単位として、その所定数の賞球を払い出す毎に、その賞球情報信号を外部接続端子６７から出力するようになっている。なお、外部接続端子６７は、賞球情報信号をホール側の管理装置に一方向に送信するためのものである。
　【００４２】
　次に上記構成における動作を説明する。ゲーム中に第１始動手段１６が遊技球を検出すると、その検出情報が遊技制御手段５０に送られ、この遊技制御手段５０での乱数制御により普通図柄表示手段２２の普通図柄が所定時間変動して停止する。そして、普通図柄表示手段２２の変動後の停止図柄が当たり図柄を表示すれば、第２始動手段１７の開閉爪２５が所定時間開放し、この第２始動手段１７に遊技球が入賞し易くなる。
　【００４３】
　第２始動手段１７が遊技球を検出すると、その検出情報が遊技制御手段５０に送られ、この遊技制御手段５０での乱数制御により特別図柄表示手段１４の特別図柄が所定時間変動して停止する。そして、特別図柄表示手段１４の変動後の停止図柄が大当たり図柄を表示すれば、可変始動手段の開閉板２３が開放するため、多数の遊技球が開閉板２３を経て可変入賞手段１８に入賞することになり、遊技者には有利な利益状態が発生する。
　【００４４】
　第２始動手段１７、普通入賞手段１９〜２１等に遊技球が入賞すると、その入賞情報が入賞処理手段５１の第１入賞記憶部５５に送られ、この第１入賞記憶部５５が賞球数６個の入賞検出を順次記憶する。また可変入賞手段１８に遊技球が入賞すれば、その入賞情報が入賞処理手段５１の第２入賞記憶部５６に送られ、この第２入賞記憶部５６が賞球数１５個の入賞検出を順次記憶する。
　【００４５】
　また各入賞記憶部５５，５６が入賞検出を記憶する一方、入賞検出があれば、賞球コマンド送信部５７が賞球コマンドを払い出し制御基板４９のコマンド解析手段５９へと送信する。このとき第２入賞記憶部５６に入賞検出の記憶情報があれば、入賞検出の順番に関係なく賞球数１５個の賞球コマンド（４００ＦＨ）を優先して送信する。また賞球コマンド送信部５７が賞球コマンドを送信すると、これと同時に最新コマンド送信記憶部５８が最新の賞球コマンド情報を記憶する。なお、最新コマンド送信記憶部５８は、賞球検出スイッチ４６から賞球の払い出しを確認する検出情報があれば、その確認済みの賞球数分をカウントダウン法により更新する。
　【００４６】
　払い出し制御基板４９では、賞球コマンド送信部５７からの賞球コマンドを順次受信すると、コマンド解析手段５９がその賞球コマンド情報を順次解析して、総獲得遊技球数を演算し記憶する。そして、この総獲得遊技球数が２５個未満であれば、賞球払い出し制御手段６０の制御により払い出し手段３５の払い出しモータ４３が回転して、その個数分の賞球を１回の払い出し動作で払い出して行く。また２５個以上の場合には、１回の払い出し単位を２５個として、払い出し制御手段６０が払い出しモータ４３を払い出し単位毎に制御して賞球を払い出して行く。なお、払い出し手段３５は、総獲得遊技球数の記憶が０になるまで払い出し動作を行う。
　【００４７】
　払い出し手段３５が賞球を払い出すと、賞球検出スイッチ４６が各賞球を１個ずつ検出し、その検出情報を遊技制御基板３２及び払い出し制御基板４９へと送る。そして、遊技制御基板３２では、賞球検出スイッチ４６からの検出情報に従って最新コマンド送信記憶部５８の記憶情報を更新する。また払い出し制御基板４９側では、賞球検出スイッチ４６からの検出情報に従って賞球払い出し制御手段６０が賞球の払い出し個数を確認する。そして、１０個の賞球を確認する毎に賞球情報出力処理手段６２が外部接続端子に賞球情報信号を出力する。
　【００４８】
　払い出し手段３５による賞球の払い出し個数が不足すれば、リトライ制御手段６１が働いて不足分の賞球数に応じた回転数だけ払い出しモータ４３が所定の速度で回転し、再払い出し動作を行う。そして、再払い出し動作によって不足分の賞球が払い出されると、賞球検出スイッチ４６がその賞球を検出するので、賞球払い出し制御手段６０が賞球検出スイッチ４６の検出情報によりそれを確認して、再払い出し動作が終了する。
　【００４９】
　払い出し手段３５による賞球の払い出し中、遊技制御基板３２側では第１異常判定手段５２が、払い出し制御基板４９側では第２異常判定手段６４が夫々異常の有無を判定する。即ち、第１異常判定手段５２では、賞球コマンド送信部５７での賞球コマンドの送信から所定時間が経過したにも拘わらず、賞球検出スイッチ４６からの検出情報がなければ、払い出し手段３５の払い出しモータ４３の故障、その他による払い出しエラーと判断し、第１異常報知制御手段５３を介して液晶表示手段１５の表示領域に所定のエラー表示を行う。また賞球の払い出し個数が不足した場合にも、第１異常判定手段５２が同様にして異常判定を行い、第１異常報知制御手段５３を介して液晶表示手段１５の表示領域に所定のエラー表示を行う。なお、賞球検出スイッチ４６の断線、短絡を検出したときにも、同様にして異常を判定し報知する。従って、液晶表示手段１５の表示領域の異常表示を見れば、払い出し手段３５側に異常があること、及びその内容を容易に把握できる。
　【００５０】
　第２異常判定手段６４では、リトライ制御手段６１によるリトライ指令から所定時間が経過しても、賞球検出スイッチ４６が賞球を検出しないときに、払い出しモータ４３の異常判定を行い、第２異常報知制御手段６５を介して第２異常報知手段６６により異常を表示し報知する。また賞球検出スイッチ４６の断線、短絡を検出したときにも、同様にして異常を判定し報知する。
　【００５１】
　従って、前枠３を開放してその裏側の払い出し手段３５を点検する場合にも、第４基板ケース４７内の払い出し制御基板４９に装着された第２異常報知手段６６の異常表示を見れば、払い出し手段３５側に異常があること、及びその内容を容易に把握でき、払い出し手段３５の点検、その他の復旧作業を容易に行うことができる。
　【００５２】
　払い出しエラーが発生した場合、手動により払い出し手段３５の回転体４２を廻して賞球を払い出すと、賞球検出スイッチ４６が賞球を検出するので、液晶表示手段１５及び第２異常報知手段６６の異常表示が解除になる。従って、払い出し手段３５を点検し復旧した後に、回転体４２を廻せば良い。
　【００５３】
　図８は本発明の第２の実施形態を例示し、払い出し手段３５に、賞球検出用の賞球検出スイッチ４６とは別に、貸し球検出用の貸し球検出スイッチ４５を設けた場合である。
　【００５４】
　この場合にも、貸し球検出スイッチ４５を遊技制御基板３２及び払い出し制御基板４９にリード線、コネクタ等を介して夫々接続して、払い出し手段３５が貸し球を払い出したときに、その貸し球の検出情報を各制御基板３２，４９へと送信するようにしても良い。
　【００５５】
　以上、本発明の各実施形態について例示したが、本発明は各実施形態に限定されるものではない。第１の実施形態では、専ら賞球の払い出しに関連する制御、処理について説明したが、第２の実施形態に示すように構成すれば、払い出し手段３５による貸し球の払い出しに関連する制御、処理においても、第１の実施形態と同様に実施することが可能である。
　【００５６】
　このようにすれば、払い出し手段３５による貸し球の払い出し動作時の異常判定、貸し球検出スイッチ４５の断線、短絡等による異常判定等も可能である。この場合、異常判定手段５２，６４、異常報知制御手段５３，６５等は、両方に兼用することも可能であるし、夫々に別々に設けても良い。
　【００５７】
　液晶表示手段１５を第１異常報知手段として利用し、遊技制御基板３２側での第１異常判定手段５２が異常判定を行ったときに、その判定結果を液晶表示手段１５により表示して報知するようにしているが、第２異常報知手段６６と同様に、遊技制御基板３２側に第１異常報知手段を遊技制御基板３２側に設けても良い。また液晶表示手段１５と遊技制御基板３２側の異常報知手段との両方に表示して報知するようにしても良い。
　【００５８】
　各異常判定手段５２，６４では、異常判定の基準となる所定時間を２２．４ｓｅｃという長い時間に設定しているが、これは短時間に設定しても良い。また異常報知手段は、音声的に報知するようにしても良いし、表示による報知と音声による報知とを併用しても良い。
　【００５９】
　また払い出し手段３５の下流側に、貸し球検出スイッチ４５を有する貸し球通路と、賞球検出スイッチ４６を有する賞球通路とを備え、これらの貸し球通路及び賞球通路と払い出し手段３５との間に、払い出し手段３５からの遊技球を貸し球通路と賞球通路とに切り換える切り換え手段を設けて、この切り換え手段により払い出し手段３５からの遊技球を貸し球通路と賞球通路とに切り換えるようにしたものでも同様に実施可能である。
　【００６０】
　払い出し手段３５は、払い出しモータ４３により回転体４２を駆動する回転式に限定されず、他の払い出し形式を採用する場合にも同様に実施可能である。コマンドには、符号化された情報を使用すると便利である。またパチンコ機、アレンジボール機、雀球遊技機等の各種の弾球遊技機においても同様に実施可能である。
　【００６１】
　【発明の効果】
　本発明では、遊技球の払い出しを行う払い出し手段３５と、該払い出し手段３５により払い出された遊技球を検出する
賞球検出スイッチ４６及び貸し球検出スイッチ４５
賞球検出スイッチ４６及び貸し球検出スイッチ４５
夫々
賞球検出スイッチ４６及び貸し球検出スイッチ４５
　【００６２】
　また遊技制御基板３２に、
賞球検出スイッチ４６及び貸し球検出スイッチ４５
賞球検出スイッチ４６及び貸し球検出スイッチ４５
　【００６３】
　更に第１異常判定手段５２の異常判定に基づいて異常報知を行う第１異常報知手段１５と、第２異常判定手段６４の異常判定に基づいて異常報知を行う第２異常報知手段６６とを夫々備えているので、各異常判定手段５２，６４での異常判定の結果を各異常報知手段１５，６６により遊技者、ホール管理者等に報知でき、異常に対して迅速に対応できる。
　【００６４】
　また遊技制御基板３２は、遊技盤７の遊技領域１３に配置された入賞手段１６〜２１への遊技球の入賞に基づいて払い出し制御基板４９に賞球情報を送出し、払い出し制御基板４９は、賞球情報に基づいて払い出し指令を出力するようにしているので、入賞手段１６〜２１への遊技球の入賞に基づいて払い出し指令を出力することができる。
　【００６５】
　更に第１異常判定手段５２は、払い出し制御基板４９に賞球情報を送出してから所定時間経過しても
賞球検出スイッチ４６
　【００６６】
　しかも第２異常判定手段６４は、払い出し手段３５に賞球情報を送出してから所定時間経過しても
賞球検出スイッチ４６
　【００６７】
　また遊技機本体１の裏側に配置された基板ケース４７内の制御基板に、基板ケース４７の外部から確認可能な異常報知手段６６を備えているので、遊技機本体１の裏側にある払い出し手段３５の点検等を行う場合にも、その異常報知手段６６の報知により遊技機本体１の裏側で異常内容を確認することが可能であり、払い出し手段３５の点検等を容易に行うことができる。
【図面の簡単な説明】
　【図１】
　本発明の第１の実施例を示す弾球遊技機の正面図である。
　【図２】
　本発明の第１の実施例を示す弾球遊技機の背面図である。
　【図３】
　本発明の第１の実施例を示す遊技盤の正面図である。
　【図４】
　本発明の第１の実施例を示す払い出し手段の側面断面図である。
　【図５】
　本発明の第１の実施例を示す払い出し手段の背面断面図である。
　【図６】
　本発明の第１の実施例を示すブロック図である。
　【図７】
　本発明の第１の実施例を示すブロック図である。
　【図８】
　本発明の第２の実施例を示すブロック図である。
　【符号の説明】
　１　　遊技機本体
　７　　遊技盤
　１３　遊技領域
　１５　第１異常判定手段
　３２　遊技制御基板
　３５　払い出し手段
　４５　貸し球検出スイッチ
　４６　賞球検出スイッチ
　４７　第３基板ケース
　４９　払い出し制御基板
　５２　第１異常判定手段
　６４　第２異常判定手段
　６６　第２異常報知手段